(57)【特許請求の範囲】
【請求項１】
装飾部を止めるための第１板と、足の甲にあて滑り止め用の第２板と、を備え、
前記第１板と前記第２板とが互いに連結してなる靴用アクセサリークリップに、前記第２板を覆うように取り付けるための保護部材であって、
前記保護部材は、前記第２板に取り付け用の切り込みがあり、折り曲げて使用され、前記保護部材が挿入された前記第２板の上の部分にも及び、
前記切り込みは、開いた状態の前記保護部材における左右対称形状の中心部分に形成されるとともに、前記保護部材の折り曲げられる箇所に設けられ、
前記保護部材の足との接触面積は、６２５ｍｍ２以上３０００ｍｍ２未満であり、靴に対して前記保護部材をしっかり固定できる面積であることを特徴とする靴用アクセサリークリップの保護部材。
【請求項２】
前記保護部材は、０．５ｍｍから３ｍｍの厚さがあり、前記第２板の中心から外側へ向かって、厚みを薄くし、
前記保護部材の厚さを、前記第２板がある部分では硬さを緩和させるために厚くして、前記第２板がなく硬さを感じない部分を薄くすることを特徴とする請求項１記載の靴用アクセサリークリップの保護部材。
【請求項３】
前記保護部材の形状が、概ひし形で、第２板の止着部分を履き口にそってカットしてあり、
足の指に前記保護部材の一部があたることを防止するために、概ひし形を特徴とする請求項１又は２記載の靴用アクセサリークリップの保護部材。
【請求項４】
前記保護部材の素材は、皮又は布地又は合成樹脂であることを特徴とする請求項１から請求項３のいずれか一項に記載の靴用アクセサリークリップの保護部材。
【発明の詳細な説明】
【技術分野】
【０００１】
本発明は、アクセサリークリップの保護部材に関する。とくに、女性用のアクセサリークリップの足の甲を保護するため部材に関する。
【背景技術】
【０００２】
女性用の靴の甲の部分にリボン等装飾部を施したものがある。しかし、時、場所、場合に応じて、又は、趣味感に応じて、装飾品を取り換えたい場合がある。そこで、装飾品を取り換えることができるアクセサリークリップに関する考案がある。具体的には、実昭開５９−１５６５０８９号のようなアクセサリークリップがある。
【先行技術文献】
【特許文献】
【０００３】
【特許文献１】実開昭５９−１５６５０９号
【発明の概要】
【発明が解決しようとする課題】
【０００４】
しかし、アクセサリークリップは、通常、金具でできており、それが、足の甲にあたると、痛いので、不便である。また、保護部材の素材についても、適度な摩擦を持ち、かつ、痛くない素材を選択する工夫をした。
【０００５】
また、保護部材を用いることで、アクセサリークリップと足の甲の間のクッション材の役割を果たすとしても、その接触面積が大きすぎても、小さすぎても良くない。更に、保護部材の形状についても、つま先が尖った靴（ポインテッドトウ）や、つま先が丸い靴（ラウンドトウ）に対して、重要であることが分かった。そこで、適切な面積について保護部材の形状について、工夫をする必要がある。
【０００６】
また、保護部材の素材も、足の甲を痛めないようにするクッション材のようなものを使うことが重要であることが分かった。
【課題を解決するための手段】
【０００７】
請求項１では、装飾部を止めるための第１板と、足の甲にあて滑り止め用の第２板と、を備え、第１板と第２板とが互いに連結してなる靴用アクセサリークリップに、第２板を覆うように取り付けるための保護部材であって、保護部材は、第２板に取り付け用の切り込みがあり、折り曲げて使用され、保護部材が挿入された第２板の上の部分にも及び、切り込みは、開いた状態の保護部材における左右対称形状の中心部分に形成されるとともに、保護部材の折り曲げられる箇所に設けられ、保護部材の足との接触面積は、６２５ｍｍ２以上３０００ｍｍ２未満であり、靴に対して保護部材をしっかり固定できる面積であることを特徴とする靴用アクセサリークリップの保護部材とした。
【０００８】
請求項２では、上記の保護部材は、０．５ｍｍから３ｍｍの厚さがあり、第２板の中心から外側へ向かって、厚みを薄く、保護部材の厚さを、第２板がある部分では硬さを緩和させるために厚くして、第２板がなく硬さを感じない部分を薄くすることを特徴とする靴用アクセサリークリップの保護部材とした。
【０００９】
請求項３では、上記の保護部材の形状が、概ひし形で、第２板の止着部分を履き口にそってカットしてあり、足の指に保護部材の一部があたることを防止するために、概ひし形を特徴とする請求項１又は２記載の靴用アクセサリークリップの保護部材とした。
【００１０】
請求項４では、上記の保護部材の素材は、皮又は布地又は合成樹脂であることを特徴とする請求項１から３の靴用のアクセサリークリップの保護部材とした。
【発明の効果】
【００１１】
請求項１記載の発明によれば、保護部材の足の甲との接触面積を所定の範囲内にすることにより、足の甲に金具があたらず痛くなく、また、靴から外れない大きさの面積となる。
【００１２】
請求項２記載の発明によれば、金具の中心から外側へ放射状に、厚さを変えることで、保護部材の厚みを感じることがなく、適度な摩擦の面積が可能となり、靴から外れない。
【００１３】
請求項３記載の発明によれば、保護部材の適切な形状により、より、履き心地が良く、使いやすい靴用のアクセサリークリップが提供できる。
【００１４】
請求項４記載の発明によれば、保護部材の素材が、足の甲に痛くないものである。その結果、長く履いていることが可能となる。皮は、合成皮革、人工皮革であってもよく、合成樹脂は、シリコン、ポリウレタン、ポリエチレンなどを用いてもよい。
【図面の簡単な説明】
【００１５】
【図１】実施形態における保護部材及びクリップの構成を示す図であり、（ａ）は保護部材の平面図、（ｂ）は保護部材へのクリップの取り付け方を示す図、（ｃ）はクリップの斜視図である。
【図２】保護部材及びクリップを靴に取り付けた状態を示す図であり、（ａ）は保護部材が靴に取り付けられた状態における保護部材の取付位置を示す図、（ｂ）はクリップが保護部材に取り付けられた状態を示す斜視図である。
【図３】クリップを保護部材に取り付けた状態を示す側面図である。
【図４】装飾部が靴に取り付けられた状態を示す図である。
【発明を実施するための形態】
【００１６】
本発明の実施例を、図を用いて説明する。
【００１７】
図１（ａ）は、保護部材１を開いた状態で、切り込み２がある。そして、全ての角は、指にあたると、痛みを伴うため、丸みを帯びる状態にしてある。（ｂ）は、保護部材１を切り込み２から折り曲げた状態で、装飾部２０を止める第１板４と滑り止め用の第２板５が連結されて（図示せず）、切り込み２から保護部材１に、矢印の方向に沿って、差し込む。その後、保護部材１は、のり付けされる（２本の矢印の方向を参考）。保護部材１は、圧着されれば良く、のり付け等に限らず、アップリケのような高温で蒸着されるものでも良い。（ｃ）は、クリップ３の開いた状態であるが、２本の矢印の方向で動き、靴１０にクリップされることで、使用される。詳細は、図３を見れば、分かる。
【００１８】
図２（ａ）は、保護部材１が、カットされる部分を示した図である。（ｂ）は、第２板５と保護部材１が装着された状態である。第２板５には、保護部材１が引っかかって係止するようにエンボス５１がついている。もちろん、両者が固定される限り、エンボス５１はなくても良い。図３は、保護部材１が、第２板５の中心から、外側へ厚さが薄くなることを示した図である。図４は本願発明の使用状態を示す図である。
【００１９】
図３は、保護部材１の横から見た断面図であるが、アクセサリークリップ３が畳まれた状態が描いてある。両端片４１と中央片４２の間に、十字片の両端５３が挟持されることで、クリップの役割を果たす構造になっている。十字片の先端５２は、中央片４２と、直接、接触することで、荷重を集中する仕組みになっている。保護部材は、金具の中心部分に厚みがあり、外側へ向かって、薄くなる形状である。保護部材は、アクセサリークリップとは、別に、単体で販売することも考え、素材に粘着のりを塗布してもよく、ゴムの弾力性を利用して固定するものでもよい。
【００２０】
図４は、装飾部２０が取り付けられた状態の靴１０である。
表３に、保護部材の形状について、実際に、試した結果を記載してある。形状については、これらの形状に限られることはなく、一つの実験例である。
【実施例】
【００２１】
保護部材の靴に対する接触面積について、発明者は次の実験を行った。面積比較一覧を示す。
【表１】
0006456326.tif 000002
【００２２】
表１から分かる通り、保護部材の接触面積が６２５〜２５００ｍｍ２であるとき、しっかりと固定することが可能である。
【００２３】
次に、保護部材の厚みについても、発明者は次の実験を行った。厚み比較一覧を示す。
【表２】
0006456326.tif 000003
【００２４】
保護部材の形状についても、発明者は次の実験を行った。形状比較一覧を示す。
【表３】
0006456326.tif 000004
【００２５】
表３から分かる通り、形状によって保護部材の足の甲との接触面積が２５００ｍｍ２以上でも、しっかりと取り付け可能であり、金具の硬さを緩和することが可能になる。従って、表１の接触面積の実験結果から、足の甲に対する保護部材の接触面積が６２５ｍｍ２以上３０００ｍｍ２未満のとき、しっかりと取り付け可能であり、金具の硬さを緩和することができる。
【符号の説明】
【００２６】
１…保護部材
２…切り込み
３…クリップ
４…第１板
５…第２板
１０…靴
１１…靴のアッパー
１２…履き口
２０…装飾部
４１…両端片
４２…中央片
５１…エンボス
５２…十字片の先端
５３…十字片の両端
【図１】
0006456326.tif 000005
【図２】
0006456326.tif 000006
【図３】
0006456326.tif 000007
【図４】
0006456326.tif 000008